(57)【要約】【課題】コンテンツ取得時の通信方式に応じたデータサイズのコンテンツを取得する。【解決手段】本発明に係る通信端末１０は、伝送速度が異なる複数の通信方式で通信可能な通信端末１０であって、通信方式に関する情報である通信方式情報を、該通信方式情報が取得された時刻に対応付けて通信方式に関する履歴として記憶する履歴記憶部１１と、履歴記憶部１１に記憶された履歴に基づいて、切り替わる可能性のある通信方式のうち伝送速度が最も遅い通信方式を選択する通信方式選択部１２と、通信方式選択部１２によって選択された通信方式に応じたコンテンツを取得するためのコンテンツ取得要求を送信し、コンテンツ取得要求に対応するコンテンツを取得する通信部１４と、を備えることを特徴とする。【選択図】図４
2012205095.tif 000002
【特許請求の範囲】
【請求項１】
伝送速度が異なる複数の通信方式で通信可能な通信端末であって、
通信方式に関する情報である通信方式情報を、該通信方式情報が取得された時刻に対応付けて通信方式に関する履歴として記憶する履歴記憶手段と、
前記履歴記憶手段に記憶された前記履歴に基づいて、切り替わる可能性のある通信方式のうち伝送速度が最も遅い通信方式を選択する通信方式選択手段と、
前記通信方式選択手段によって選択された通信方式に応じたコンテンツを取得するためのコンテンツ取得要求を送信し、前記コンテンツ取得要求に対応するコンテンツを取得する通信手段と、
を備える通信端末。
【請求項２】
前記複数の通信方式のいずれに対応するエリアに在圏しているか判別する在圏エリア判別手段をさらに備え、
前記通信手段は、通信開始時に通信方式を識別する情報である通信方式識別情報を受信し、
前記通信方式選択手段は、前記在圏エリア判別手段により判別されたエリアと、前記通信手段により受信された前記通信方式識別情報と、前記履歴記憶手段に記憶された前記履歴と、に基づいて通信方式を選択することを特徴とする請求項１に記載の通信端末。
【請求項３】
前記通信方式選択手段は、
前記在圏エリア判別手段により判別されたエリアがいずれか一の通信方式のみ利用可能なエリアの場合、当該通信方式を選択し、
前記在圏エリア判別手段により判別されたエリアが複数の通信方式を利用可能なエリアで、前記通信手段により受信された前記通信方式識別情報が識別する通信方式が前記エリアで利用可能な通信方式のうち伝送速度が最も遅い通信方式の場合、当該伝送速度が最も遅い通信方式を選択し、
前記在圏エリア判別手段により判別されたエリアが複数の通信方式を利用可能なエリアであり、かつ、前記通信手段により受信された前記通信方式識別情報が識別する通信方式が前記エリアで利用可能な通信方式のうち伝送速度が最も遅い通信方式以外の場合、又は、前記通信手段が通信開始時に前記通信方式識別情報を受信しなかった場合、前記履歴に基づいて通信方式を選択することを特徴とする請求項２に記載の通信端末。
【請求項４】
前記通信方式選択手段は、コンテンツ取得要求を行う前の所定の時間帯において、通信方式の切替が発生していた場合に、切り替わった通信方式のうち伝送速度が最も遅い通信方式を選択することを特徴とする請求項１〜３のいずれか一項に記載の通信端末。
【請求項５】
前記通信方式選択手段は、コンテンツ取得要求を行う前の所定の時間帯において、通信方式の切替が所定回数以上発生していた場合に、切り替わった通信方式のうち伝送速度が最も遅い通信方式を選択することを特徴とする請求項１〜３のいずれか一項に記載の通信端末。
【請求項６】
前記通信方式選択手段は、コンテンツ取得要求を行う時刻を含む時間帯において、過去に設定された通信方式のうち伝送速度が最も遅い通信方式を選択することを特徴とする請求項１〜３のいずれか一項に記載の通信端末。
【請求項７】
前記通信端末の現在位置を示す位置情報を取得する位置情報取得手段をさらに備え、
前記履歴記憶手段は、前記履歴に前記位置情報を含めて記憶し、
前記通信方式選択手段は、コンテンツ取得要求を行う際に、現在位置を含む所定の範囲内において、過去に設定された通信方式のうち伝送速度が最も遅い通信方式を選択することを特徴とする請求項１〜３のいずれか一項に記載の通信端末。
【請求項８】
前記複数の通信方式には、ＬＴＥ及び３Ｇが含まれることを特徴とする請求項１〜７のいずれか一項に記載の通信端末。
【請求項９】
通信方式に関する情報を該情報が取得された時刻に対応付けて通信方式に関する履歴として記憶する履歴記憶手段を備え、伝送速度が異なる複数の通信方式で通信可能な通信端末におけるコンテンツ取得方法であって、
前記履歴記憶手段に記憶された前記履歴に基づいて、切り替わる可能性のある通信方式のうち伝送速度が最も遅い通信方式を選択する通信方式選択ステップと、
前記通信方式選択ステップにおいて選択された通信方式に応じたコンテンツを取得するためのコンテンツ取得要求を送信する送信ステップと、
前記コンテンツ取得要求に対応するコンテンツを取得する取得ステップと、
を備えるコンテンツ取得方法。
【発明の詳細な説明】
【技術分野】
【０００１】
本発明は、通信端末及びコンテンツ取得方法に関する。
【背景技術】
【０００２】
従来、伝送速度が異なる複数の通信方式（RAT；Radio  Access  Technology）で通信可能な移動通信端末において、使用している通信方式に応じて、サーバから動画等のコンテンツを取得する技術が知られている。例えば、下記の特許文献１には、複数種類の通信方式を切り換えて使用できる携帯電話機において、現在使用している通信方式の情報をＨＴＴＰ要求の所定のフィールドに書き込み、そのＨＴＴＰ要求をコンテンツ配信サーバに送信する構成が開示されている。また、下記の特許文献１には、コンテンツ配信サーバにおいて、ＨＴＴＰ要求に書き込まれている通信方式の情報を読み出し、その通信方式に応じたデータサイズのコンテンツを携帯電話機に送信する構成が開示されている。
【先行技術文献】
【特許文献】
【０００３】
【特許文献１】特開２００８−１８２６４６号公報
【発明の概要】
【発明が解決しようとする課題】
【０００４】
しかしながら、通信方式ごとに利用可能なエリアは異なるため、以下のような問題がある。携帯電話機が、例えば、最大７５Ｍｂｐｓのデータ伝送が可能なＬＴＥ（Long  Term  Evolution）及び最大７．２Ｍｂｐｓのデータ伝送が可能な３Ｇ（3rd  Generation）で通信可能とした場合、ＬＴＥを利用可能なエリアは狭いため、３Ｇのみを利用可能なエリアにすぐに移動してしまう可能性がある。このような場合、上記特許文献１に開示された携帯電話機では、ＬＴＥの情報を書き込んでＨＴＴＰ要求を送信しても、ＬＴＥより低速の３ＧでＬＴＥ用の大容量コンテンツを取得しなければならないことがある。
【０００５】
そこで本発明は、このような問題点を解決するために、コンテンツ取得時の通信方式に応じたデータサイズのコンテンツを取得可能な通信端末及びコンテンツ取得方法を提供することを目的とする。
【課題を解決するための手段】
【０００６】
上記課題を解決するため、本発明の通信端末は、伝送速度が異なる複数の通信方式で通信可能な通信端末であって、通信方式に関する情報である通信方式情報を、該通信方式情報が取得された時刻に対応付けて通信方式に関する履歴として記憶する履歴記憶手段と、履歴記憶手段に記憶された履歴に基づいて、切り替わる可能性のある通信方式のうち伝送速度が最も遅い通信方式を選択する通信方式選択手段と、通信方式選択手段によって選択された通信方式に応じたコンテンツを取得するためのコンテンツ取得要求を送信し、コンテンツ取得要求に対応するコンテンツを取得する通信手段と、を備えることを特徴とする。
【０００７】
本発明のコンテンツ取得方法は、通信方式に関する情報を該情報が取得された時刻に対応付けて通信方式に関する履歴として記憶する履歴記憶手段を備え、伝送速度が異なる複数の通信方式で通信可能な通信端末におけるコンテンツ取得方法であって、履歴記憶手段に記憶された履歴に基づいて、切り替わる可能性のある通信方式のうち伝送速度が最も遅い通信方式を選択する通信方式選択ステップと、通信方式選択ステップにおいて選択された通信方式に応じたコンテンツを取得するためのコンテンツ取得要求を送信する送信ステップと、コンテンツ取得要求に対応するコンテンツを取得する取得ステップと、を備えることを特徴とする。
【０００８】
本発明によれば、切り替わる可能性のある通信方式のうち伝送速度が最も遅い通信方式を選択し、選択された通信方式に応じたコンテンツを取得するためのコンテンツ取得要求を送信することで、選択した通信方式に対応するコンテンツを取得することができる。従って、例えば、通信方式のエリア境界付近に位置する場合に、切り替わる可能性がある通信方式のうち最も遅い伝送速度の通信方式に応じたコンテンツ要求を行うことができる。このため、本発明によれば、コンテンツ取得時に伝送速度が遅い通信方式に切り替わったとしても、コンテンツ取得時の通信方式に応じたデータサイズのコンテンツを取得することができる。
【０００９】
また、本発明の通信端末において、複数の通信方式のいずれに対応するエリアに在圏しているか判別する在圏エリア判別手段をさらに備え、通信手段は、通信開始時に通信方式を識別する情報である通信方式識別情報を受信し、通信方式選択手段は、在圏エリア判別手段により判別されたエリアと、通信手段により受信された通信方式識別情報と、履歴記憶手段に記憶された履歴と、に基づいて通信方式を選択するのが好ましい。この構成によれば、通信端末が在圏しているエリアにおいて通信可能な通信方式と、通信開始時の通信方式と、通信方式の履歴と、に基づいて通信方式を選択することができ、切り替わる可能性のある通信方式をより精度よく判断することが可能となる。
【００１０】
また、本発明の通信端末において、通信方式選択手段は、在圏エリア判別手段により判別されたエリアがいずれか一の通信方式のみ利用可能なエリアの場合、当該通信方式を選択し、在圏エリア判別手段により判別されたエリアが複数の通信方式を利用可能なエリアで、通信手段により受信された通信方式識別情報が識別する通信方式がそのエリアで利用可能な通信方式のうち伝送速度が最も遅い通信方式の場合、当該伝送速度が最も遅い通信方式を選択し、在圏エリア判別手段により判別されたエリアが複数の通信方式を利用可能なエリアで、かつ、通信手段により受信された通信方式識別情報が識別する通信方式がそのエリアで利用可能な通信方式のうち伝送速度が最も遅い通信方式以外の場合、又は、通信手段が通信開始時に通信方式識別情報を受信しなかった場合、履歴に基づいて通信方式を選択するのが好ましい。
【００１１】
この構成によれば、在圏エリアで利用可能な通信方式のうち、伝送速度が最も遅い通信方式を選択することができる。例えば、在圏エリアにおいていずれか一の通信方式のみ利用可能である場合には、そのエリアでは他の通信方式を利用できない。このような場合、利用可能な通信方式を選択することで、コンテンツ取得時の通信方式に応じたデータサイズのコンテンツを取得することができる。また、在圏エリアにおいて複数の通信方式が利用可能である場合でも、在圏エリアで利用可能な通信方式のうち伝送速度が最も遅い通信方式が通信開始時に設定された場合には、この通信方式をコンテンツ取得時においても使用する可能性がある。このような場合、通信開始時に設定された通信方式を選択することで、コンテンツ取得時の通信方式に応じたデータサイズのコンテンツを取得することができる。
【００１２】
また、本発明の通信端末において、通信方式選択手段は、コンテンツ取得要求を行う前の所定の時間帯において、通信方式の切替が発生していた場合に、切り替わった通信方式のうち伝送速度が最も遅い通信方式を選択するのが好ましい。この構成によれば、通信方式の切替の可能性を考慮して、コンテンツ取得時の通信方式に応じたデータサイズのコンテンツを取得することができる。例えば、コンテンツ取得要求を行う直前に通信方式の切替が発生していた場合、通信端末は、現在設定されている通信方式を利用可能なエリアの境界付近に位置している可能性がある。このため、コンテンツ取得時には通信端末がそのエリア外に移動している可能性がある。このような場合、切り替わる可能性のある通信方式のうち、伝送速度が最も遅い通信方式を選択することで、コンテンツ取得時の通信方式に応じたデータサイズのコンテンツを取得することができる。
【００１３】
また、本発明の通信端末において、通信方式選択手段は、コンテンツ取得要求を行う前の所定の時間帯において、通信方式の切替が所定回数以上発生していた場合に、切り替わった通信方式のうち伝送速度が最も遅い通信方式を選択するのが好ましい。この構成によれば、通信方式の切替の可能性を考慮して、コンテンツ取得時の通信方式に応じたデータサイズのコンテンツを取得することができる。を選択することができる。例えば、コンテンツ取得要求を行う前の一定の時間帯において、通信方式の切替が頻繁に発生していた場合、何らかの要因によって通信方式の設定が不安定になっていると考えられる。このような場合、切り替わる可能性のある通信方式のうち、伝送速度が最も遅い通信方式を選択することで、コンテンツ取得時の通信方式に応じたデータサイズのコンテンツを取得することができる。
【００１４】
また、本発明の通信端末において、通信方式選択手段は、コンテンツ取得要求を行う時刻を含む時間帯において、過去に設定された通信方式のうち伝送速度が最も遅い通信方式を選択するのが好ましい。この構成によれば、時間帯におけるネットワークの利用傾向を考慮して、コンテンツ取得時の通信方式に応じたデータサイズのコンテンツを取得することができる。例えば、夕方等は通信利用者が多いため、ＬＴＥの通信が可能であっても、ネットワークの収容容量を超えると、３Ｇに切り替えられることがある。過去の同時間帯においてこのような傾向が見られる場合、その時間帯において３Ｇに切り替えられる可能性がある。このような場合、３Ｇに応じたコンテンツを取得するためのコンテンツ取得要求を送信することで、通信方式が３Ｇに切り替えられたとしても、コンテンツ取得時の通信方式に応じたデータサイズのコンテンツを取得することができる。
【００１５】
また、本発明の通信端末において、通信端末の現在位置を示す位置情報を取得する位置情報取得手段をさらに備え、履歴記憶手段は、履歴に位置情報を含めて記憶し、通信方式選択手段は、コンテンツ取得要求を行う際に、現在位置を含む所定の範囲内において、過去に設定された通信方式のうち伝送速度が最も遅い通信方式を選択するのが好ましい。この構成によれば、通信端末の現在位置に対応する通信方式を選択することができる。例えば、過去に３Ｇで通信を行った位置の周辺では、ＬＴＥで通信可能であっても３Ｇに切り替えられる可能性がある。このような場合、３Ｇに応じたコンテンツを取得するためのコンテンツ取得要求を送信することで、通信方式が３Ｇに切り替えられたとしても、コンテンツ取得時の通信方式に応じたデータサイズのコンテンツを取得することができる。
【００１６】
また、本発明の通信端末において、複数の通信方式には、ＬＴＥ及び３Ｇが含まれるのが好ましい。ＬＴＥは３Ｇより伝送速度が高速であるが、ＬＴＥを利用可能なエリアは、３Ｇを利用可能なエリアより狭い。従って、ＬＴＥを利用可能なエリアにおいてコンテンツ取得要求を送信する際、通信方式が３Ｇに切り替えられる可能性がある場合には、３Ｇに応じたコンテンツを取得するためのコンテンツ取得要求を送信することで、通信端末が３Ｇを利用可能なエリアに移動したとしても、取得時の通信方式に応じたデータサイズのコンテンツを取得することができる。
【発明の効果】
【００１７】
本発明によれば、コンテンツ取得時の通信方式に応じたデータサイズのコンテンツを取得できる。
【図面の簡単な説明】
【００１８】
【図１】本発明の実施形態に係る通信システムの概略構成図である。
【図２】各通信方式のエリアの一例を示す図である。
【図３】本発明の実施形態に係る通信端末のハードウェア構成を示すブロック図である。
【図４】本発明の実施形態に係る通信端末の機能構成を示すブロック図である。
【図５】通信方式に関する履歴の一例を示す図である。
【図６】ＬＴＥ及び３Ｇを利用可能な場合に選択される通信方式を示す図である。
【図７】本発明の実施形態に係る通信システムのコンテンツ配信処理を示すフローチャートである。
【図８】本発明の実施形態に係る通信端末の通信方式選択処理を示すフローチャートである。
【発明を実施するための形態】
【００１９】
以下、図面を参照して、本発明に係る通信端末及び通知方法の好適な実施形態について詳細に説明する。なお、図面の説明においては同一要素には同一符号を付し、重複する説明を省略する。
【００２０】
図１は、本発明の実施形態に係る通信システム１の概要構成図である。図１に示すように、通信システム１は、通信端末１０、基地局２０、交換機３０、及び配信サーバ４０を含んで構成されている。
【００２１】
通信端末１０は、例えば携帯電話機であって、伝送速度が異なる複数の通信方式で通信可能な移動体通信等の通信機能を備えている装置である。後述するように、通信端末１０は、設定されている通信方式を用いて通信を行う。また、通信端末１０は、通信方式に関するログ（履歴）に基づいてコンテンツ取得時に設定されていると予測される通信方式を選択し、その通信方式を識別可能な情報であるＲＡＴ情報（通信方式識別情報）を付加してコンテンツ取得要求を行う。
【００２２】
基地局２０は、各通信方式に対応して設けられており、通信端末１０との間で対応する通信方式による通信を行う。例えば、３Ｇ基地局２０ａは、通信端末１０との間で３Ｇによる通信を行う場合に使用される。ＬＴＥ基地局２０ｂは、通信端末１０との間でＬＴＥによる通信を行う場合に使用される。図１に示すように、通信システム１では、３Ｇ基地局２０ａとＬＴＥ基地局２０ｂとが、それぞれ複数設けられている。
【００２３】
そして、各基地局２０のアンテナの勢力範囲（カバーエリア）が、その基地局２０に対応する通信方式を利用可能なエリア（地理的範囲）となる。また、３Ｇ基地局２０ａのアンテナのカバーエリア（以下、「３Ｇエリア」という。）は、ＬＴＥ基地局２０ｂのアンテナのカバーエリア（以下、「ＬＴＥエリア」という。）より広いことが知られている。なお、３Ｇ基地局２０ａ及びＬＴＥ基地局２０ｂはアンテナを共有してもよいし、それぞれアンテナを設けてもよい。
【００２４】
通信システム１では、３Ｇ基地局２０ａは、単独で設けられているか、ＬＴＥ基地局２０ｂとともに設けられている。一方、ＬＴＥ基地局２０ｂは、３Ｇ基地局２０ａとともに設けられているが、単独では設けられていない。このように基地局２０を設置した結果、ＬＴＥエリアは、３Ｇエリアに含まれる。したがって、通信端末１０がＬＴＥを利用可能な場合は、３Ｇも利用可能である。
【００２５】
図２は、通信システム１における各通信方式のエリアの一例を示す図である。図２に示すように、各通信方式のエリアとして、例えばエリアＡ３Ｇ及びエリアＡＬＴＥがある。エリアＡ３Ｇは、３Ｇエリアを示している。エリアＡＬＴＥは、ＬＴＥエリアを示している。また、上述のようにエリアＡＬＴＥは、エリアＡ３Ｇに含まれている。すなわち、エリアＡＬＴＥでは、ＬＴＥによる通信だけでなく、３Ｇによる通信も可能である。
【００２６】
交換機３０は、各通信方式に対応して設けられており、基地局２０と配信サーバ４０との間の通信を中継する装置である。例えば、３Ｇ交換機３０ａは、３Ｇ基地局２０ａと通信を行い、ＬＴＥ交換機３０ｂは、ＬＴＥ基地局２０ｂと通信を行う。なお、以下の説明において、基地局２０及び交換機３０を纏めてネットワーク（移動体通信網）ＮＷと呼ぶ場合がある。
【００２７】
配信サーバ４０は、提供対象の画像、ＷＥＢページデータ、アプリケーションプログラム等のコンテンツを不図示のデータベースに記憶している。配信サーバ４０は、コンテンツを識別するコンテンツＩＤ又はコンテンツタイトルごとに、複数の通信方式に対応したデータサイズのコンテンツを記憶している。各通信方式に対応したコンテンツは、各通信方式の伝送速度で配信するのに好適なデータサイズを有している。配信サーバ４０は、例えば、１つのコンテンツＩＤに対して、ＬＴＥ用のコンテンツ、３Ｇ用のコンテンツ等を記憶している。ＬＴＥは、最大７５Ｍｂｐｓのデータ伝送が可能であるため、ＬＴＥ用のコンテンツは大容量に設定されている。３Ｇは、最大７．２Ｍｂｐｓのデータ伝送が可能であるため、３Ｇ用のコンテンツはＬＴＥ用のコンテンツより小さいデータサイズに設定されている。
【００２８】
配信サーバ４０は、基地局２０及び交換機３０を介して、通信端末１０からコンテンツ取得要求を受信し、コンテンツ取得要求に対応するコンテンツを通信端末１０に配信する。具体的には、配信サーバ４０は、コンテンツ取得要求を受信すると、コンテンツ要求に付加されているＲＡＴ情報を読み出す。そして、配信サーバ４０は、コンテンツ取得要求で指定されたコンテンツＩＤ（又はコンテンツタイトル）に対応した複数のコンテンツの中から、読み出したＲＡＴ情報で示される通信方式に対応するコンテンツを配信対象として決定する。次に、配信サーバ４０は、配信対象として決定したコンテンツをデータベースから読み出し、通信端末１０に配信する。
【００２９】
図３は、通信端末１０のハードウェア構成を示すブロック図である。図３に示すように、通信端末１０は、物理的には、ＣＰＵ（Central  Processing  Unit）１０１、主記憶装置であるＲＡＭ（Random  Access  Memory）１０２及びＲＯＭ１０３（Read  Only  Memory)、ハードディスク装置等の補助記憶装置１０４、設定されている通信方式を用いて基地局２０等との間でデータの送受信を行う通信モジュール１０５、ＧＰＳ信号を受信して通信端末１０の現在位置を取得するＧＰＳ通信装置１０６、入力デバイスである入力キー、マイクロフォン等の入力装置１０７、出力デバイスであるディスプレイ、スピーカ等の出力装置１０８等のハードウェアにより構成されている。
【００３０】
後述する通信端末１０の各機能は、図３に示すＣＰＵ１０１、ＲＡＭ１０２等のハードウェア上に所定のコンピュータソフトウェアを読み込ませることにより、ＣＰＵ１０１の制御のもとで通信モジュール１０５、ＧＰＳ通信装置１０６、入力装置１０７、出力装置１０８等を動作させるとともに、ＲＡＭ１０２や補助記憶装置１０４におけるデータの読み出し及び書き込みを行うことで実現される。
【００３１】
続いて、通信端末１０の各機能について説明する。図４は、通信端末１０の機能構成を示すブロック図である。図４に示すように、通信端末１０は、履歴記憶部１１と、通信方式選択部１２と、取得要求生成部１３と、通信部１４と、を備えて構成されている。なお、通信端末１０は、後述の第４の通信方式選択処理を行うとき位置情報取得部１５をさらに備えてもよく、後述の第５の通信方式選択処理を行うとき在圏エリア判別部１６をさらに備えてもよい。
【００３２】
履歴記憶部１１は、通信方式に関する情報である通信方式情報を、該通信方式情報が取得された時刻に対応付けて通信方式に関する履歴として記憶する履歴記憶手段として機能する。履歴記憶部１１は、少なくとも、通信端末１０に設定された通信方式を識別可能な情報であるＲＡＴ情報と、そのＲＡＴ情報が取得された時刻を示す時刻情報と、を対応付けて通信方式に関する履歴として記憶している。履歴記憶部１１は、さらに、通信端末１０の状態を示すステータス情報、通信端末１０の位置を示す位置情報等を対応付けて記憶してもよい。
【００３３】
図５は、通信方式に関する履歴の一例を示す図である。図５に示すように、履歴記憶部１１は、「時刻」と、「状態」と、「ＲＡＴ（ベアラ）」と、「位置」とを対応付けて通信方式に関する履歴として記憶している。「時刻」に記憶されているデータは、この情報が取得された時刻を示す時刻情報である。例えば、「２０１１  ０２０３  １４３０００」というデータは、２０１１年２月３日１４時３０分００秒を示す。「状態」に記憶されているデータは、通信端末１０の状態を示すステータス情報である。この「状態」には、例えば、通信端末１０が待受状態であることを示す「待受」、通信端末１０が通信中であることを示す「通信」等が記憶される。
【００３４】
「ＲＡＴ（ベアラ）」に記憶されているデータは、通信方式を識別可能な情報であるＲＡＴ情報である。この「ＲＡＴ（ベアラ）」には、例えば、通信端末１０によって設定されている通信方式が３Ｇであることを示す「３Ｇ」、通信端末１０によって設定されている通信方式がＬＴＥであることを示す「ＬＴＥ」、通信端末１０によって設定されている通信方式がＧＳＭ（Global  System  for  Mobile  Communications）であることを示す「ＧＳＭ」等が記憶される。「位置」に記憶されているデータは、通信端末１０の位置を特定する位置情報であって、例えば、緯度及び経度を示す情報である。
【００３５】
なお、履歴記憶部１１は、例えば、通信端末１０の待受中に設定されている通信方式が切り替えられた時、通信端末１０の通信中に設定されている通信方式が切り替えられた時、通信端末１０が通信を開始した時、通信端末１０が通信を終了した時、通信端末１０の状態（待受、通信）が変わった時、通信端末１０が位置情報を取得した時等に、通信方式情報を取得し、通信方式に関する履歴として記憶する。
【００３６】
通信方式選択部１２は、履歴記憶部１１に記憶された履歴に基づいて通信方式を選択する通信方式選択手段として機能する。すなわち、通信方式選択部１２は、コンテンツ取得要求に対するコンテンツの取得時に設定されている通信方式を、履歴記憶部１１に記憶された履歴に基づいて予測し、その予測した通信方式を選択する。通信方式選択部１２が行う通信方式選択処理については、後述する。
【００３７】
取得要求生成部１３は、通信方式選択部１２によって選択された通信方式を識別するＲＡＴ情報を付加してコンテンツ取得要求を生成する取得要求生成手段として機能する。取得要求生成部１３は、例えば、ＨＴＴＰ要求等のコンテンツ取得要求のヘッダーに予め定義されたフィールドにＲＡＴ情報を書き込むことで、ＲＡＴ情報が付加されたコンテンツ取得要求を生成する。
【００３８】
通信部１４は、通信方式選択部１２によって選択された通信方式に応じたコンテンツを取得するためのコンテンツ取得要求を送信し、コンテンツ取得要求に対応するコンテンツを取得する通信手段として機能する。具体的には、通信部１４は、取得要求生成部１３によって生成されたコンテンツ取得要求を送信し、コンテンツ取得要求に対応するコンテンツを取得する通信手段として機能する。通信部１４は、基地局２０及び交換機３０を介して配信サーバ４０にコンテンツ取得要求を送信する。そして、配信サーバ４０によってコンテンツ取得要求が受信されると、そのコンテンツ取得要求に付加されたＲＡＴ情報に対応したコンテンツが配信され、通信部１４が取得する。
【００３９】
通信部１４は、通信端末１０によってサポートされている複数の通信方式のうちいずれかの通信方式が設定され、設定された通信方式に基づいて待受及び通信を行う。通信部１４は、例えば、通信端末１０が通信を開始する時、現在設定されている通信方式を利用可能なエリアから利用不可能なエリアに通信端末１０が移動した時等に、ネットワークＮＷ側からＲＡＴ情報を受信し、そのＲＡＴ情報によって示される通信方式に変更する。なお、通信部１４は、通信開始時にネットワークＮＷ側からＲＡＴ情報を受信しない場合もある。
【００４０】
したがって、通信部１４は、コンテンツ取得要求を送信する際に設定されている通信方式を用いてコンテンツ取得要求を送信する。このため、通信部１４は、コンテンツ取得要求に付加されたＲＡＴ情報によって識別される通信方式と異なる通信方式でコンテンツ取得要求を送信することもある。また、通信部１４は、コンテンツを取得する際に設定されている通信方式を用いてそのコンテンツを取得する。このため、通信部１４は、コンテンツ取得要求に付加されたＲＡＴ情報によって識別される通信方式と異なる通信方式でコンテンツを取得することもある。
【００４１】
次に、通信方式選択部１２によって行われる第１〜第５の通信方式選択処理を説明する。通信方式選択部１２は、第１〜第５の通信方式選択処理のうちいずれかの処理で通信方式を選択する。
【００４２】
（第１の通信方式選択処理）
通信方式選択部１２は、コンテンツ取得要求を送信する前の所定の時間帯において、通信方式の切替が発生していた場合に、切り替わった通信方式のうち伝送速度が最も遅い通信方式を選択する。具体的に説明すると、通信方式選択部１２は、履歴記憶部１１に記憶されている通信方式に関する履歴に基づいて、コンテンツ取得要求を送信する直前の時間帯（例えば３０分間）において、ＲＡＴ情報が変更されたか否かを判定する。そして、ＲＡＴ情報が変更されていた場合、その時間帯において切り替わった通信方式のうち、伝送速度が最も遅い通信方式を選択する。なお、ＲＡＴ情報が変更されたか否かを判定する時間帯は、通信方式選択部１２に予め設定されている。この時間帯は、任意の時間とすることができる。
【００４３】
図５の通信方式に関する履歴を用いて、この第１の通信方式選択処理を説明する。例えば、２０１１年２月３日１４時３２分００秒にコンテンツ取得要求を送信する場合、その直前の３０分間において情報＜１＞と情報＜２＞との間でＲＡＴ情報が３ＧからＬＴＥに変更されている。この場合、コンテンツ取得要求送信時に設定されている通信方式はＬＴＥであるが、通信方式選択部１２は、伝送速度が遅い方の通信方式である３Ｇを選択する。一方、２０１１年２月３日１５時３２分００秒にコンテンツ取得要求を送信する場合、その直前の３０分間においてＲＡＴ情報は変更されていない。したがって、通信方式選択部１２は、コンテンツ取得要求送信時に設定されている通信方式であるＬＴＥを選択する。
【００４４】
（第２の通信方式選択処理）
通信方式選択部１２は、コンテンツ取得要求を送信する前の所定の時間帯において、通信方式の切替が所定回数以上発生していた場合に、切り替わった通信方式のうち伝送速度が最も遅い通信方式を選択する。具体的に説明すると、通信方式選択部１２は、履歴記憶部１１に記憶されている通信方式に関する履歴に基づいて、コンテンツ取得要求を送信する直前の時間帯（例えば１時間）において、ＲＡＴ情報が変更された回数をカウントする。そして、通信方式選択部１２は、ＲＡＴ情報が変更された回数が閾値Ｎ以上の場合、その時間帯において切り替わった通信方式のうち、伝送速度が最も遅い通信方式を選択する。なお、ＲＡＴ情報が変更された回数をカウントする時間帯、及び、閾値Ｎはいずれも、通信方式選択部１２に予め設定されている。
【００４５】
図５の通信方式に関する履歴を用いて、この第２の通信方式選択処理を説明する。例えば、ＲＡＴ情報が変更された回数をカウントする時間帯を１時間、閾値Ｎを３回とする。２０１１年２月３日１５時０２分３０秒にコンテンツ取得要求を送信する場合、情報＜１＞と情報＜２＞との間、情報＜３＞と情報＜４＞との間、情報＜４＞と情報＜５＞との間の合計３回、ＲＡＴ情報が変更されている。この場合、コンテンツ取得要求送信時に設定されている通信方式はＬＴＥであるが、通信方式選択部１２は、切り替えられた通信方式のうち伝送速度が最も遅い３Ｇを選択する。一方、２０１１年２月３日１５時４２分００秒にコンテンツ取得要求を送信する場合、情報＜４＞と情報＜５＞との間の１回だけＲＡＴ情報が変更されている。この場合、通信方式選択部１２は、コンテンツ取得要求送信時に設定されている通信方式であるＬＴＥを選択する。
【００４６】
（第３の通信方式選択処理）
通信方式選択部１２は、コンテンツ取得要求を行う時刻を含む時間帯において、過去に設定された通信方式のうち伝送速度が最も遅い通信方式を選択する。具体的に説明すると、通信方式選択部１２は、履歴記憶部１１に記憶されている通信方式に関する履歴に基づいて、コンテンツ取得要求を送信する時刻（時分秒）を含む所定の時間帯における過去のＲＡＴ情報を抽出し、その通信方式を選択する。なお、所定の時間帯は、例えば、コンテンツ取得要求を行う時刻の前後１５分等として予め通信方式選択部１２に設定されている。また、通信方式選択部１２は、同時間帯における過去の履歴すべてを参照してもよいし、所定の日の履歴を参照してもよい。また、コンテンツ取得要求を送信する時刻を含む時間帯に代えてコンテンツ取得要求を送信する時刻と同一の時刻としてもよい。いずれの履歴を参照するかは、通信方式選択部１２に予め設定されている。
【００４７】
図５の通信方式に関する履歴を用いて、この第３の通信方式選択処理を説明する。例えば、前日の履歴を参照するように設定されているとする。２０１１年２月４日１８時００分００秒にコンテンツ取得要求を送信する場合、前日の１８時００分００秒において設定されている通信方式は３Ｇである。この場合、コンテンツ取得要求送信時に設定されている通信方式がＬＴＥであっても、通信方式選択部１２は、３Ｇを選択する。
【００４８】
（第４の通信方式選択処理）
通信方式選択部１２は、コンテンツ取得要求を行う際に、通信端末１０の現在位置を含む所定の範囲において、過去に設定された通信方式のうち伝送速度が最も遅い通信方式を選択する。この場合、通信端末１０は、位置情報取得部１５をさらに備える。
【００４９】
位置情報取得部１５は、通信端末１０の現在位置を示す位置情報を取得する位置情報取得手段として機能する。具体的には、位置情報取得部１５は、ＧＰＳ通信装置１０６を介して通信端末１０の位置情報を取得する。位置情報取得部１５は、オートＧＰＳ機能により一定の周期（例えば、５分周期）で通信端末１０の位置情報を取得する。また、位置情報取得部１５は、ＧＰＳ情報を用いたサービス利用時、ユーザによるＧＰＳ情報問い合わせ時等に、通信端末１０の位置情報を取得してもよい。
【００５０】
位置情報取得部１５によって位置情報が取得されると、前述の履歴記憶部１１は、その位置情報と、位置情報が取得された際に通信端末１０に設定されている通信方式と、位置情報が取得された時刻を示す時刻情報とを含む通信方式情報を通信方式に関する履歴として記憶する。履歴記憶部１１は、さらに位置情報が取得された際の通信端末１０のステータス情報を通信方式情報に含めて記憶してもよい。
【００５１】
通信方式選択部１２は、位置情報取得部１５によって取得された通信端末１０の現在位置を示す位置情報を取得する。そして、通信方式選択部１２は、履歴記憶部１１に記憶されている通信方式に関する履歴に基づいて、コンテンツ取得要求を送信する際の通信端末１０の現在位置を含む所定の範囲において過去に設定された通信方式を抽出する。そして、通信方式選択部１２は、抽出した通信方式のうち、伝送速度が最も遅い通信方式を選択する。
【００５２】
なお、所定の範囲は、例えば、通信端末１０の現在位置を中心とした半径５００ｍの範囲である。また、予め複数の区画を定めておき、通信端末１０が属する区画を所定の範囲としてもよい。この所定の範囲の決定方法は、予め通信方式選択部１２に設定されている。なお、通信方式選択部１２は、通信端末１０の現在位置と同位置において、過去に設定された通信方式を抽出し、伝送速度が最も遅い通信方式を選択してもよい。複数の通信方式が抽出された場合、通信方式選択部１２は、通信端末１０の現在位置から最も近い位置において設定された通信方式を選択してもよい。また、複数の通信方式が抽出された場合、通信方式選択部１２は、最も新しく設定された通信方式を選択してもよい。
【００５３】
図５の通信方式に関する履歴を用いて、この第４の通信方式選択処理を説明する。例えば、通信端末１０の現在位置が北緯３５．６５８７０４°、東経１３９．７４５４０８°であるとする。２０１１年２月３日１４時３１分１５秒にコンテンツ取得要求を送信する場合、通信方式選択部１２は、この位置情報を含む所定の範囲内の位置情報を有する情報＜１＞及び情報＜２＞からＲＡＴ情報を抽出する。この場合、コンテンツ取得要求送信時に設定されている通信方式はＬＴＥであるが、通信方式選択部１２は、抽出したＲＡＴ情報のうち伝送速度が最も遅い通信方式である３Ｇを選択する。
【００５４】
（第５の通信方式選択処理）
通信方式選択部１２は、通信端末１０の現在位置において利用可能な通信方式に基づいて、通信方式を選択する。この場合、通信端末１０は、在圏エリア判別部１６をさらに備える。
【００５５】
在圏エリア判別部１６は、複数の通信方式のうちいずれの通信方式を利用可能なエリアに通信端末１０が在圏しているか判別する在圏エリア判別手段として機能する。在圏エリア判別部１６は、例えば、各通信方式について、その通信方式を利用可能なエリアの地理的範囲をエリアマップとして予め保持している。そして、在圏エリア判別部１６は、位置情報取得部１５によって取得された位置情報と、エリアマップとに基づいて、いずれの通信方式を利用可能なエリアに通信端末１０が在圏しているか判別する。
【００５６】
通信方式選択部１２は、通信端末１０が、通信端末１０によってサポートされている複数の通信方式のうちいずれか１つの通信方式のみ利用可能なエリアに在圏している場合、上述の第１〜第４の通信方式選択処理を行うことなく、その利用可能な通信方式を選択する。
【００５７】
また、通信方式選択部１２は、通信端末１０が、通信端末１０によってサポートされている通信方式のうち２以上を利用可能なエリアに在圏しており、通信開始時に２以上の通信方式のうち伝送速度が最も遅い通信方式のＲＡＴ情報が通知された場合、上述の第１〜第４の通信方式選択処理を行うことなく、通知されたＲＡＴ情報が示す通信方式を選択する。一方、通信方式選択部１２は、通信端末１０が、通信端末１０によってサポートされている通信方式のうち２以上を利用可能なエリアに在圏しており、通信開始時に２以上の通信方式のうち伝送速度が最も遅い通信方式以外の通信方式のＲＡＴ情報が通知された場合、又は、通信開始時にＲＡＴ情報が通知されなかった場合、上述の第１〜第４の通信方式選択処理を行う。
【００５８】
図６は、通信端末１０がＬＴＥ及び３Ｇを利用可能である場合における、第５の通信方式選択処理によって選択される通信方式を示す図である。図６において、「待受状態」は、通信端末１０の待受状態において設定されている通信方式を示す。「在圏エリア」は、通信端末１０が在圏するエリアにおいて利用可能な通信方式を示す。例えば、「在圏エリア」が「３Ｇのみ」の場合、通信端末１０は３Ｇのみを利用可能なエリアに在圏していることを示す。「在圏エリア」が「ＬＴＥ」の場合、通信端末１０はＬＴＥ及び３Ｇを利用可能なエリアに在圏していることを示す。
【００５９】
「通信開始時に通知されるＲＡＴ」は、通信端末１０の通信開始時にネットワークＮＷ側から通知されるＲＡＴ情報を示す。「選択される通信方式」は、通信方式選択部１２によって選択される通信方式を示す。「選択される通信方式」が「履歴に基づく通信方式選択処理による」の場合、上述の第１〜第４の通信方式選択処理に基づいて通信方式が選択されることを示す。
【００６０】
図６に示すように、通信端末１０の在圏エリアが３Ｇのみ利用可能なエリアである場合は、３Ｇが選択される。通信端末１０の在圏エリアがＬＴＥ及び３Ｇを利用可能なエリア（ＬＴＥエリア）である場合は、コンテンツ取得要求の通信開始時に通知されるＲＡＴ情報に応じて選択される通信方式が異なる。コンテンツ取得要求の通信開始時に３ＧのＲＡＴ情報が通知された場合、３Ｇが選択される。コンテンツ取得要求の通信開始時にＬＴＥのＲＡＴ情報が通知された場合、又は、コンテンツ取得要求の通信開始時にＲＡＴ情報が通知されなかった場合、上述の第１〜第４の通信方式選択処理を行って、通信方式に関する履歴に基づき通信方式が選択される。
【００６１】
続いて、通信システム１におけるコンテンツ配信処理について説明する。図７は、通信システム１のコンテンツ配信処理を示すフローチャートである。本処理は、通信端末１０において、入力装置１０７を介してコンテンツを取得するための操作が行われることにより開始される（Ｓ０１）。次に、通信端末１０の通信方式選択部１２は、コンテンツ取得要求に付加する通信方式を選択する（Ｓ０２，通信方式選択ステップ）。Ｓ０２の通信方式選択処理の詳細は、後述する。そして、通信端末１０の取得要求生成部１３は、Ｓ０２において通信方式選択部１２によって選択された通信方式を示すＲＡＴ情報を、例えばヘッダの予め定められたフィールドに書き込んで、コンテンツ取得要求を生成する（Ｓ０３，取得要求生成ステップ）。
【００６２】
続いて、通信端末１０の通信部１４は、Ｓ０３において取得要求生成部１３によって生成されたコンテンツ取得要求を送信する（Ｓ０４，送信ステップ）。なお、通信部１４は、送信時に設定されている通信方式を用いてコンテンツ取得要求を送信する。通信部１４によって送信されたコンテンツ取得要求は、通信部１４によって使用された通信方式に対応する基地局２０及び交換機３０を介して、配信サーバ４０に送信される。
【００６３】
配信サーバ４０は、コンテンツ取得要求を受信すると、コンテンツ取得要求に付加されたＲＡＴ情報を読み出す。そして、配信サーバ４０は、コンテンツ取得要求に係るコンテンツのうち、ＲＡＴ情報により識別される通信方式に対応したデータサイズのコンテンツをデータベースから読み出す（Ｓ０５）。そして、配信サーバ４０は、交換機３０及び基地局２０を介して、読み出したコンテンツを通信端末１０に配信する（Ｓ０６）。
【００６４】
通信部１４は、コンテンツ取得時に設定されている通信方式を用いてコンテンツを取得する（Ｓ０７，取得ステップ）。そして、通信端末１０は、Ｓ０７において取得したコンテンツを不図示のディスプレイに表示する（Ｓ０８）。
【００６５】
図８は、通信端末１０の通信方式選択処理を示すフローチャートである。ここでは、通信端末１０がＬＴＥと３Ｇとを利用可能な場合について説明する。なお、本処理は、図７のＳ０２の処理に対応する。
【００６６】
まず、位置情報取得部１５は、ＧＰＳ通信装置１０６を介して通信端末１０の現在位置を示す位置情報を取得する。次に、在圏エリア判別部１６は、位置情報取得部１５によって取得された位置情報と、エリアマップとに基づいて、いずれの通信方式を利用可能なエリアに在圏しているか判別する（Ｓ２１）。３Ｇのみを利用可能なエリアに在圏していると判別された場合（Ｓ２１；３Ｇのみ）、通信方式選択部１２は、コンテンツ取得要求に付加する通信方式として３Ｇを選択する（Ｓ２２）。
【００６７】
一方、Ｓ２１の処理において、ＬＴＥ及び３Ｇを利用可能なエリアに在圏していると判別された場合（Ｓ２１；ＬＴＥ）、通信方式選択部１２は、コンテンツ取得要求の通信開始時にネットワークＮＷから通知されたＲＡＴ情報が３Ｇを示しているか否かを判定する（Ｓ２３）。通信開始時にネットワークＮＷから通知されたＲＡＴ情報が３Ｇを示している場合（Ｓ２３；Ｙｅｓ）、通信方式選択部１２は、コンテンツ取得要求に付加する通信方式として３Ｇを選択する（Ｓ２２）。一方、通信開始時にネットワークＮＷから通知されたＲＡＴ情報がＬＴＥを示している場合（Ｓ２３；Ｎｏ）、通信方式選択部１２は、履歴記憶部１１に記憶されている通信方式に関する履歴を参照する（Ｓ２４）。
【００６８】
そして、通信方式選択部１２は、上述の第１〜第４の通信方式選択処理のいずれかを行って、３Ｇに切り替わる可能性があるか否かを判定する（Ｓ２５）。Ｓ２５の判定により、３Ｇに切り替わる可能性があると判定された場合（Ｓ２５；Ｙｅｓ）、通信方式選択部１２は、コンテンツ取得要求に付加する通信方式として３Ｇを選択する（Ｓ２２）。一方、Ｓ２５の判定により、３Ｇに切り替わる可能性がないと判定された場合（Ｓ２５；Ｎｏ）、通信方式選択部１２は、コンテンツ取得要求に付加する通信方式としてＬＴＥを選択する（Ｓ２６）。なお、Ｓ２１及びＳ２３の処理は、省略してもよい。
【００６９】
次に、本実施形態の通信端末１０の作用効果について説明する。伝送速度が異なる複数の通信方式で通信可能な通信端末１０において、履歴記憶部１１は、通信方式に関する情報である通信方式情報を、該通信方式情報が取得された時刻に対応付けて記憶し、通信方式選択部１２は、履歴記憶部１１に記憶された履歴に基づいて、切り替わる可能性のある通信方式のうち伝送速度が最も遅い通信方式を選択する。また、通信部１４は、通信方式選択部１２によって選択された通信方式に応じたコンテンツを取得するためのコンテンツ取得要求を送信し、コンテンツ取得要求に対応するコンテンツを取得する。
【００７０】
このように、通信端末１０は、切り替わる可能性のある通信方式のうち伝送速度が最も遅い通信方式を選択し、選択された通信方式に応じたコンテンツを取得するためのコンテンツ取得要求を送信することで、選択した通信方式に対応するコンテンツを取得することができる。従って、例えば、通信方式のエリア境界付近に位置する場合に、切り替わる可能性がある通信方式のうち最も遅い伝送速度の通信方式に応じたコンテンツ要求を行うことができる。このため、本発明によれば、コンテンツ取得時にコンテンツ取得要求時よりも伝送速度が遅い通信方式に切り替わったとしても、コンテンツ取得時の通信方式に応じたデータサイズのコンテンツを取得することができる。
【００７１】
また、通信端末１０において、在圏エリア判別部１６は、複数の通信方式のいずれに対応するエリアに在圏しているか判別してもよい。そして、通信部１４は、通信開始時に通信方式を識別するＲＡＴ情報を受信し、通信方式選択部１２は、在圏エリア判別部１６により判別されたエリアと、通信部１４により受信されたＲＡＴ情報と、履歴記憶部１１に記憶された履歴と、に基づいて通信方式を選択してもよい。この構成によれば、通信端末１０が在圏しているエリアにおいて通信可能な通信方式と、通信開始時の通信方式と、通信方式の履歴と、に基づいて通信方式を選択することができ、切り替わる可能性のある通信方式をより精度よく判断することが可能となる。
【００７２】
また、通信端末１０において、通信方式選択部１２は、在圏エリア判別部１６により判別されたエリアがいずれか一の通信方式のみ利用可能なエリアの場合、当該通信方式を選択してもよい。また、通信方式選択部１２は、在圏エリア判別部１６により判別されたエリアが複数の通信方式を利用可能なエリアで、通信部１４により受信されたＲＡＴ情報がエリアで利用可能な通信方式のうち伝送速度が最も遅い通信方式を識別する情報の場合、当該伝送速度が最も遅い通信方式を選択してもよい。また、通信方式選択部１２は、在圏エリア判別部１６により判別されたエリアが複数の通信方式を利用可能なエリアで、かつ、通信部１４により受信されたＲＡＴ情報が識別する通信方式がそのエリアで利用可能な通信方式のうち伝送速度が最も遅い通信方式以外の場合、又は、通信部１４が通信開始時にＲＡＴ情報を受信しなかった場合、履歴記憶部１１に記憶された履歴に基づいて通信方式を選択してもよい。
【００７３】
この構成によれば、在圏エリアで利用可能な通信方式のうち、伝送速度が最も遅い通信方式を選択することができる。例えば、在圏エリアにおいていずれか一の通信方式のみ利用可能である場合には、そのエリアでは他の通信方式を利用できない。このような場合、利用可能な通信方式を選択することで、コンテンツ取得時の通信方式に応じたデータサイズのコンテンツを取得することができる。また、在圏エリアにおいて複数の通信方式が利用可能である場合でも、在圏エリアで利用可能な通信方式のうち伝送速度が最も遅い通信方式が通信開始時に設定された場合には、この通信方式をコンテンツ取得時においても使用する可能性がある。このような場合、通信開始時に設定された通信方式を選択することで、コンテンツ取得時の通信方式に応じたデータサイズのコンテンツを取得することができる。
【００７４】
また、通信端末１０において、通信方式選択部１２は、コンテンツ取得要求を行う前の所定の時間帯において、通信方式の切替が発生していた場合に、切り替わった通信方式のうち伝送速度が最も遅い通信方式を選択してもよい。この構成によれば、通信方式の切替の可能性を考慮して、コンテンツ取得時の通信方式に応じたデータサイズのコンテンツを取得することができる。例えば、コンテンツ取得要求を行う直前に３ＧからＬＴＥに切り替えられた場合、通信端末１０は、ＬＴＥエリアの境界付近に位置している可能性がある。このため、通信端末１０は、コンテンツ取得時にＬＴＥエリア外に移動している可能性がある。このような場合、３Ｇに切り替えられる可能性があると判断して、３Ｇを選択することで、通信方式が３Ｇに切り替えられたとしても、コンテンツ取得時の通信方式に応じたデータサイズのコンテンツを取得することができる。
【００７５】
また、通信端末１０において、通信方式選択部１２は、コンテンツ取得要求を行う前の所定の時間帯において、通信方式の切替が所定回数以上発生していた場合に、切り替わった通信方式のうち伝送速度が最も遅い通信方式を選択してもよい。この構成によれば、通信方式の切替の可能性を考慮して、コンテンツ取得時の通信方式に応じたデータサイズのコンテンツを取得することができる。例えば、コンテンツ取得要求を行う前の一定の時間帯において、ＬＴＥと３Ｇとの切替が頻繁に発生していた場合、何らかの要因によって通信方式の設定が不安定になっており、３Ｇに切り替えられる可能性があると考えられる。このような場合、３Ｇを選択することで、通信方式が３Ｇに切り替えられたとしても、コンテンツ取得時の通信方式に応じたデータサイズのコンテンツを取得することができる。
【００７６】
また、通信端末１０において、通信方式選択部１２は、コンテンツ取得要求を行う時刻を含む時間帯において、過去に設定された通信方式のうち伝送速度が最も遅い通信方式を選択してもよい。この構成によれば、時刻におけるネットワークＮＷの利用傾向を考慮して、コンテンツ取得時の通信方式に応じたデータサイズのコンテンツを取得することができる。例えば、夕方等は通信利用者が多いため、ＬＴＥで通信可能であっても、ネットワークＮＷの収容容量を超えると、３Ｇに切り替えられることがある。過去の同時間帯においてこのような傾向が見られる場合、その時間帯において、３Ｇに切り替えられる可能性がある。このような場合、３Ｇに応じたコンテンツを取得するためのコンテンツ取得要求を送信することで、通信方式が３Ｇに切り替えられたとしても、コンテンツ取得時の通信方式に応じたデータサイズのコンテンツを取得することができる。
【００７７】
また、通信端末１０において、位置情報取得部１５は、通信端末の現在位置を示す位置情報を取得する。そして、履歴記憶部１１は、履歴に位置情報を含めて記憶してもよく、通信方式選択部１２は、コンテンツ取得要求を行う際に、現在位置を含む所定の範囲内において、過去に設定された通信方式のうち伝送速度が最も遅い通信方式を選択してもよい。この構成によれば、通信端末１０の現在位置に対応する通信方式を選択することができる。例えば、過去に３Ｇで通信を行った位置の周辺では、ＬＴＥで通信可能であっても３Ｇに切り替えられる可能性がある。このような場合、３Ｇに応じたコンテンツを取得するためのコンテンツ取得要求を送信することで、通信方式が３Ｇに切り替えられたとしても、コンテンツ取得時の通信方式に応じたデータサイズのコンテンツを取得することができる。
【００７８】
また、通信端末１０において、複数の通信方式には、ＬＴＥ及び３Ｇが含まれてもよい。ＬＴＥは３Ｇより伝送速度が高速であるが、ＬＴＥエリアは、３Ｇエリアより狭い。このため、ＬＴＥエリアにおいてコンテンツ取得要求を送信する際、通信方式が３Ｇに切り替えられる可能性がある場合には、３Ｇに応じたコンテンツを取得するためのコンテンツ取得要求を送信することで、通信端末１０が３Ｇのみを利用可能なエリアに移動したとしても、コンテンツ取得時の通信方式に応じたデータサイズのコンテンツを取得することができる。
【００７９】
なお、本発明に係る通信端末及びコンテンツ取得方法は本実施形態に記載したものに限定されない。本発明に係る通信端末及びコンテンツ取得方法は、各請求項に記載した要旨を変更しないように実施形態に係る通信端末及びコンテンツ取得方法を変形し、又は他のものに適用してもよい。
【００８０】
例えば、上記実施形態では、通信端末１０において、履歴記憶部１１に記憶された履歴に基づいて通信方式を選択しているが、基地局２０、交換機３０、及び、配信サーバ４０のいずれかにおいて、通信方式に関する情報を、該情報が取得された時刻及び通信端末１０を識別する端末ＩＤに対応付けて通信方式に関する履歴として記憶し、当該履歴に基づいて通信方式を選択してもよい。
【００８１】
また、上記実施形態において、ＲＡＴ情報（通信方式）としてＬＴＥ及び３Ｇを用いたが、これに限定されない。例えば、ＧＳＭ、Ｗ−ＬＡＮ（Wireless  LAN）等を用いることもできる。
【００８２】
また、上記実施形態において、通信端末１０は、ＬＴＥ及び３Ｇの２つの通信方式について、選択処理を行っているが、３つ以上の通信方式について選択処理を行ってもよい。この場合、通信方式選択部１２は、切り替えられる可能性のある通信方式のうち伝送速度が最も遅い通信方式を選択する。例えば、ＬＴＥ（高速）、３Ｇ（中速）、ＧＳＭ（低速）の選択処理について説明すると、通信方式選択部１２は、ＬＴＥ及び３Ｇに切り替えられる可能性がある場合、３Ｇを選択し、ＬＴＥ及びＧＳＭに切り替えられる可能性がある場合、ＧＳＭを選択する。また、通信方式選択部１２は、ＬＴＥ、３Ｇ、ＧＳＭのいずれにも切り替えられる可能性がある場合、ＧＳＭを選択する。
【符号の説明】
【００８３】
１０…通信端末、１１…履歴記憶部（履歴記憶手段）、１２…通信方式選択部（通信方式選択手段）、１４…通信部（通信手段）、１５…位置情報取得部（位置情報取得手段）、１６…在圏エリア判別部（在圏エリア判別手段）。
【図１】
2012205095.tif 000003
【図２】
2012205095.tif 000004
【図３】
2012205095.tif 000005
【図４】
2012205095.tif 000006
【図５】
2012205095.tif 000007
【図６】
2012205095.tif 000008
【図７】
2012205095.tif 000009
【図８】
2012205095.tif 000010